(57)【特許請求の範囲】
【請求項１】
前面が開口した収納空間が形成された収納家具本体と、基端部がスライド蝶番を介して該収納家具本体に揺動可能に取り付けられて上記収納空間の開口を開閉する扉とを備えた収納家具であって、
上記収納家具本体の内壁面であって上記スライド蝶番が取り付けられた蝶番取付面に取り付けられ、上記スライド蝶番の上記蝶番取付面に取り付けられた本体側部分を覆い隠すための凹部が形成されたカバー部材を備え、
上記蝶番取付面には、上記収納空間に突出する突起部が形成され、
上記カバー部材には、上記突起部をスライド自在に保持することで該カバー部材を上記蝶番取付面に取り付けると共に、上記凹部が上記スライド蝶番の本体側部分を覆い隠す所定の設置位置まで該カバー部材を導くスライド溝が形成され、
上記カバー部材は、一側面に上記凹部と上記スライド溝とが形成された扁平な板状部材によって構成されている
ことを特徴とする収納家具。
【請求項２】
請求項１において、
上記カバー部材は、該カバー部材が当接する上記蝶番取付面と前端の幅が等しい矩形状に形成され、上記設置位置において、前端が上記蝶番取付面の前端と同じ位置に配置されるように構成されている
ことを特徴とする収納家具。
【請求項３】
請求項２において、
上記カバー部材の前端面は、上記蝶番取付面から離れるほど上記収納空間の奥側に後退する傾斜面に構成されている
ことを特徴とする収納家具。
【請求項４】
請求項２又は３において、
上記カバー部材は、上記収納空間の奥行長さが該収納空間よりも短く、
上記スライド溝は、上記カバー部材を、上記蝶番取付面に沿って上記収納空間の奥行方向の奥側から手前側へスライドさせて上記設置位置に導くように構成され、
上記設置位置に設置された上記カバー部材と上記収納空間の背面を形成する上記収納家具本体の背板との隙間には、該隙間を埋める桟部材が設けられている
ことを特徴とする収納家具。
【請求項５】
請求項４において、
上記桟部材は、上記カバー部材と同じ厚みで且つ同色の板状部材によって構成され、上記設置位置に位置する該カバー部材と面一となるように配置されている
ことを特徴とする収納家具。
【請求項６】
請求項１乃至５のいずれか１つにおいて、
上記蝶番取付面には、上記スライド蝶番の本体側部分の一部を収容する収容凹部が形成されている
ことを特徴とする収納家具。
【発明の詳細な説明】
【技術分野】
【０００１】
本発明は、キャビネット等の収納家具に関し、特に、扉付きの収納家具に関するものである。
【背景技術】
【０００２】
従来、キャビネット等の収納家具の中には、収納物を隠すために収納空間の開口部に扉を開閉自在に取り付けたものがある。この種の扉付きの収納家具では、特許文献１に示されているように、スライド蝶番を用いることにより、扉が収納家具本体の側板に揺動可能に取り付けられている。
【先行技術文献】
【特許文献】
【０００３】
【特許文献１】登録実用新案第２５３５２８６号公報
【発明の概要】
【発明が解決しようとする課題】
【０００４】
ところで、特許文献１に記載の収納家具では、金属製のスライド蝶番が露出しているため、収納空間の内部の美観が著しく低下する。これに対し、収納家具本体の側板の内壁面にカバー部材を取り付けてスライド蝶番を隠すことが考えられる。しかしながら、スライド蝶番は、定期的にねじの緩みなどを調整すべきものであるため、カバー部材をビス等の締結部材を用いて固定することとすると、カバー部材の着脱作業が容易でないために、スライド蝶番の調整作業が煩雑になるという問題があった。
【０００５】
本発明は、かかる点に鑑みてなされたものであり、その目的は、扉付きの収納家具において、スライド蝶番の調整作業を煩雑にすることなくスライド蝶番を用いることによる美観の低下を抑制することにある。
【課題を解決するための手段】
【０００６】
上記の目的を達成するために、本発明では、収納家具本体に取り付けられたスライド蝶番の本体側部分を覆い隠すカバー部材を、スライドさせるだけで収納家具本体に取り付け可能に構成した。
【０００７】
具体的には、第１の発明は、前面が開口した収納空間が形成された収納家具本体と、基端部がスライド蝶番を介して該収納家具本体に揺動可能に取り付けられて上記収納空間の開口を開閉する扉とを備えた収納家具を前提としている。
【０００８】
そして、第１の発明に係る収納家具は、上記収納家具本体の内壁面であって上記スライド蝶番が取り付けられた蝶番取付面に取り付けられ、上記スライド蝶番の上記蝶番取付面に取り付けられた本体側部分を覆い隠すための凹部が形成されたカバー部材を備え、上記蝶番取付面には、上記収納空間に突出する突起部が形成され、上記カバー部材には、上記突起部をスライド自在に保持することで該カバー部材を上記蝶番取付面に取り付けると共に、上記凹部が上記スライド蝶番の本体側部分を覆い隠す所定の設置位置まで該カバー部材を導くスライド溝が形成されていることを特徴とする。
【０００９】
第１の発明では、収納家具本体の内壁面であってスライド蝶番が取り付けられる蝶番取付面に、収納空間に突出する突出部を形成する一方、スライド蝶番の本体側部分を覆い隠す凹部と、上記突出部をスライド自在に保持すると共にカバー部材を設置位置まで導くスライド溝とが形成されたカバー部材を設けることとした。第１の発明によれば、このような構成により、カバー部材を設けることによって、スライド蝶番を用いることによる収納空間の美観の低下を抑制することができると共に、該カバー部材をビス等で蝶番取付面に取り付けるのではなく、スライド溝に突出部を保持させた状態でカバー部材をスライドさせるだけで、該カバー部材を所定の設置位置で蝶番取付面に取り付けることができる。また、スライド蝶番の調整を行う際には、カバー部材を取り付け時とは逆側にスライドさせることにより、容易に取り外すことができる。従って、第１の発明によれば、扉付きの収納家具において、スライド蝶番の調整作業を煩雑にすることなくスライド蝶番を用いることによる美観の低下を抑制することができる。
【００１０】
また、第１の発明は、上記構成に加え、上記カバー部材は、一側面に上記凹部と上記スライド溝とが形成された扁平な板状部材によって構成されていることを特徴とする。
【００１１】
第１の発明では、扁平な板状部材に、スライド蝶番の本体側部分を覆い隠す凹部と、突出部をスライド自在に保持するスライド溝とを形成することによって、カバー部材を容易に構成することができる。
【００１２】
第２の発明は、第１の発明において、上記カバー部材は、該カバー部材が当接する上記蝶番取付面と前端の幅が等しい矩形状に形成され、上記設置位置において、前端が上記蝶番取付面の前端と同じ位置に配置されるように構成されていることを特徴とする。
【００１３】
第２の発明では、カバー部材は、設置位置において、前端が蝶番取付面の前端と同じ位置に配置され、また、前端の幅が蝶番取付面の前端の幅（収納空間の蝶番取付面に沿う方向における開口幅）と等しくなるように形成されている。このような構成により、設置位置において、カバー部材と蝶番取付面との前端の位置が揃うため、蝶番取付面にカバー部材を設けても該蝶番取付面の前端部に不自然な段差が形成されることがない。従って、カバー部材を設けることによる収納空間の美観の低下を抑制することができる。
【００１４】
第３の発明は、第２の発明において、上記カバー部材の前端面は、上記蝶番取付面から離れるほど上記収納空間の奥側に後退する傾斜面に構成されていることを特徴とする。
【００１５】
第３の発明では、カバー部材の前端面が、蝶番取付面から離れるほど（収納空間の内側に向かうほど）収納空間の奥側に後退する傾斜面に構成されている。そのため、カバー部材の前端が蝶番取付面の前端に対して位置がずれても、そのずれを目立たなくすることができる。また、前端を傾斜面に構成しない場合に比べて、人にカバー部材の厚みを薄く感じさせる効果が期待できる。さらに、扉を閉じた際に、スライド蝶番の扉に取り付けられた扉側部分を収容する余地ができる。これにより、スライド蝶番の扉側部分とカバー部材との衝突を回避することができる。
【００１６】
第４の発明は、第２又は第３の発明において、上記カバー部材は、上記収納空間の奥行長さが該収納空間よりも短く、上記スライド溝は、上記カバー部材を、上記蝶番取付面に沿って上記収納空間の奥行方向の奥側から手前側へスライドさせて上記設置位置に導くように構成され、上記設置位置に設置された上記カバー部材と上記収納空間の背面を形成する上記収納家具本体の背板との隙間には、該隙間を埋める桟部材が設けられていることを特徴とする。
【００１７】
第４の発明では、カバー部材が、収納空間の奥行長さが該収納空間よりも短くなるように形成され、蝶番取付面に沿って収納空間の奥行方向の奥側から手前側にスライドさせることによって設置位置に導かれるように構成されている。このような構成により、カバー部材を容易に蝶番取付面に取り付けることができる。一方、このようにカバー部材の奥行長さが蝶番取付面より短い構成では、カバー部材を設置位置に配置した際に、カバー部材と収納家具本体の背板との間に隙間が形成され、収納空間の内部の美観が低下する。そこで、第４の発明では、この隙間に、該隙間を埋める桟部材を設けることとしている。このように桟部材を設けて隙間を埋めることにより、収納空間の内部の美観の低下を抑制すると共に、スライド自在なカバー部材の設置位置から後方への移動を規制することができる。つまり、桟部材を、カバー部材の移動を規制する押さえ部材として用いることができる。
【００１８】
第５の発明は、第４の発明において、上記桟部材は、上記カバー部材と同じ厚みで且つ同色の板状部材によって構成され、上記設置位置に位置する該カバー部材と面一となるように配置されていることを特徴とする。
【００１９】
第５の発明では、スライド蝶番の本体側部分が取り付けられる蝶番取付面が、板状部材によって構成されて互いに面一となるように配置されたカバー部材と桟部材とによって覆われることとなる。このような構成により、収納空間の側面に段差が生じないため、カバー部材を設けることによる収納空間の内部の美観の低下を抑制することができる。
【００２０】
第６の発明は、第１乃至第５のいずれか１つの発明において、上記蝶番取付面には、上記スライド蝶番の本体側部分の一部を収容する収容凹部が形成されていることを特徴とする。
【００２１】
第６の発明では、蝶番取付面にスライド蝶番の本体側部分の一部を収容する収容凹部が形成されているため、該収容凹部を形成しない場合に比べて、カバー部材に形成する凹部を浅く形成することができ、カバー部材自体の厚みを薄く形成することができる。従って、第６の発明によれば、カバー部材を設けることによる収納空間の容積減少を最小限に止めることができる。
【発明の効果】
【００２２】
本発明によれば、収納家具本体と扉とを有する扉付きの収納家具において、収納家具本体の蝶番取付面に取り付けられたスライド蝶番の本体側部分を覆い隠すカバー部材に、蝶番取付面に形成された突出部をスライド自在に保持するスライド溝を設け、カバー部材をスライドさせるだけで蝶番取付面に取り付け可能に構成したことにより、スライド蝶番の調整作業を煩雑にすることなくスライド蝶番を用いることによる美観の低下を抑制することができる。
【図面の簡単な説明】
【００２３】
【図１】図１は、本発明の実施形態に係る収納家具を示す斜視図である。
【図２】図２は、本発明の実施形態に係る収納家具の扉を開けた状態を示す斜視図である。
【図３】図３は、本発明の実施形態に係る収納家具のスライド蝶番付近を拡大して示す斜視図であり、カバー部材を取り付ける前の状態を示す図である。
【図４】図４は、本発明の実施形態に係る収納家具のスライド蝶番付近を拡大して示す斜視図である。
【図５】図５は、本発明の実施形態に係る収納家具のスライド蝶番付近を拡大して示す断面図であり、扉が閉じた状態を示す図である。
【図６】図６は、本発明の実施形態に係る収納家具のスライド蝶番付近を拡大して示す断面図であり、扉が開いた状態を示す図である。
【図７】図７（Ａ）〜（Ｃ）は、カバー部材及び桟部材の取り付け動作を示す図であり、図７（Ａ）は、カバー部材を設置位置の後方の位置に配置した状態を示し、図７（Ｂ）は、カバー部材を収納空間の奥側から手前側にスライドさせて設置位置に設置した状態を示し、図７（Ｃ）は、設置位置におけるカバー部材と背板との間の隙間に桟部材を取り付けた状態を示す図である。
【発明を実施するための形態】
【００２４】
以下、本発明の実施形態を図面に基づいて詳細に説明する。以下の実施形態は、本質的に好ましい例示に過ぎず、本発明、その適用物、あるいはその用途の範囲を制限することを意図するものではない。
【００２５】
《発明の実施形態１》
図１及び図２は、本発明の実施形態１に係る収納家具１を示す。該収納家具１は、リビングルーム等の室内の壁面Ｗに沿って床面Ｆ上に設置されるものである。
【００２６】
−構成−
収納家具１は、室内の壁面Ｗに当接する背面とは逆側の前面が開口した矩形箱状の複数の収納空間２Ｌ，２Ｒ（本実施形態では２つ）が形成された収納家具本体１０と、複数の収納空間２Ｌ，２Ｒの前面の各開口を開閉する揺動タイプの複数の扉２０Ｌ，２０Ｒ（本実施形態では２枚）とを備えている。
【００２７】
〈収納家具本体の構成〉
収納家具本体１０は、３つの側板１１〜１３と、２つの天板１４Ｌ，１４Ｒと、２つの底板１５Ｌ，１５Ｒと、背板１６と、６つの棚板１７とを有している。収納家具本体１０には、３つの側板１１〜１３と、２つの天板１４Ｌ，１４Ｒと、２つの底板１５Ｌ，１５Ｒと、背板１６とによって上述の２つの収納空間２Ｌ，２Ｒが左右に区画されている。
【００２８】
３つの側板１１〜１３は、左側板１１と、右側板１２と、中央側板１３とによって構成されている。３つの側板１１〜１３は、上下方向に長い矩形状の扁平な板状部材によって同じ大きさに構成され、中央側板１３が、左側板１１と右側板１２との間に配置されている。本実施形態では、３つの側板１１〜１３は、２０ｍｍ程度の厚みの板状部材によって構成されている。
【００２９】
２つの天板１４Ｌ，１４Ｒは、左側板１１と中央側板１３との間に設けられた左側の天板１４Ｌと、中央側板１３と右側板１２との間に設けられた右側の天板１４Ｒとによって構成されている。左側の天板１４Ｌと右側の天板１４Ｒは、矩形状の扁平な板状部材によって構成されている。左側の天板１４Ｌは、左側板１１と中央側板１３との間に形成される左側の収納空間２Ｌの上端を閉塞するように設けられている。右側の天板１４Ｒは、中央側板１３と右側板１２との間に形成される右側の収納空間２Ｒの上端を閉塞するように設けられている。
【００３０】
２つの底板１５Ｌ，１５Ｒは、左側板１１と中央側板１３との間に設けられた左側の底板１５Ｌと、中央側板１３と右側板１２との間に設けられた右側の底板１５Ｒとによって構成されている。左側の底板１５Ｌと右側の底板１５Ｒは、矩形状の扁平な板状部材によって構成されている。左側の底板１５Ｌは、左側板１１と中央側板１３との間に形成される左側の収納空間２Ｌの下端を閉塞するように設けられている。右側の底板１５Ｒは、中央側板１３と右側板１２との間に形成される右側の収納空間２Ｒの下端を閉塞するように設けられている。
【００３１】
背板１６は、矩形状の扁平な板状部材によって構成されている。背板１６は、３つの側板１１〜１３に固定され、左側の収納空間２Ｌと右側の収納空間２Ｒの後端（背面）を閉塞するように設けられている。
【００３２】
６つの棚板１７は、矩形状の扁平な板状部材によって同じ大きさに構成された左側の収納空間２Ｌと右側の収納空間２Ｒのそれぞれに３枚ずつ設けられている。各収納空間２Ｌ，２Ｒにおいて３つの棚板１７は、上下に並行に配列され、各収納空間２Ｌ，２Ｒを上下に並ぶ４つの領域に区画している。
【００３３】
〈扉の構成〉
２つの扉２０Ｌ，２０Ｒは、上下方向に長い矩形状の扁平な板状部材によって同じ大きさに構成され、左側の扉２０Ｌと、右側の扉２０Ｒとによって構成されている。扉２０Ｌ，２０Ｒは、基端部が後述するスライド蝶番３０を介して収納家具本体１０に揺動可能に取り付けられている。具体的には、左側の扉２０Ｌは、基端部（左端部）が３つのスライド蝶番３０を介して左側板１１に揺動可能に取り付けられている。また、右側の扉２０Ｒは、左側の扉２０Ｌと同様に、基端部（右端部）が３つのスライド蝶番３０（図示省略）を介して右側板１２に揺動可能に取り付けられている。左側の扉２０Ｌは、閉状態において左側の収納空間２Ｌの前端を閉塞するように設けられ、右側の扉２０Ｒは、閉状態において右側の収納空間２Ｒの前端を閉塞するように設けられている。
【００３４】
〈スライド蝶番の構成〉
各スライド蝶番３０は、本体側部分３１と扉側部分３２と連結部分３３とをそれぞれ有し、扉２０Ｌ，２０Ｒを収納家具本体１０の対応する側板（左側板１１、右側板１２）にそれぞれ揺動可能に取り付けている。
【００３５】
本体側部分３１は、収納家具本体１０の側板１１，１２の内壁面に取り付けられている。本実施形態では、側板１１，１２の内壁面に、スライド蝶番３０の本体側部分３１の下部を収容可能な大きさ（深さ５ｍｍ程度、長さ２０ｍｍ程度）の収容凹部１８が形成されており、本体側部分３１は、該収容凹部１８の底面に固定されている。
【００３６】
扉側部分３２は、扉２０Ｌ，２０Ｒの内側面に取り付けられている。扉側部分３２には、連結部分３３を収容するための凹溝３４が形成され、該凹溝３４は、扉２０Ｌ，２０Ｒの内部に埋め込まれている。
【００３７】
連結部分３３は、鉛直方向に延びる第１連結ピン３５によって本体側部分３１と揺動自在に連結され、鉛直方向に延びる第２連結ピン３６によって扉側部分３２と揺動自在に連結されている。第２連結ピン３６は、扉２０Ｌ，２０Ｒを揺動させて収納空間２Ｌ，２Ｒの開口を開閉する揺動軸を構成する。また、この揺動軸を構成する第２連結ピン３６は、連結部分３３が第１連結ピン３５周りに揺動することにより、側板１１，１２に近づいたり遠ざかったりする。具体的には、第２連結ピン３６は、扉２０Ｌ，２０Ｒが収納空間２Ｌ，２Ｒの前端を開口する開状態（図５の状態）において側板１１，１２から最も離れ、扉２０Ｌ，２０Ｒが収納空間２Ｌ，２Ｒの前端を閉塞する閉状態（図６の状態）において、側板１１，１２に最も近づく。この閉状態では、連結部分３３が、扉側部分３２の凹溝３４に嵌まり込む。
【００３８】
このような構成により、スライド蝶番３０は、扉２０Ｌ，２０Ｒの基端部を、第２連結ピン３６を揺動軸として揺動させると共に、該第２連結ピン３６を移動させることにより、扉２０Ｌ，２０Ｒを側板１１，１２に衝突させることなく開閉させる。
【００３９】
〈カバー部材の構成〉
本発明に係る収納家具１には、スライド蝶番３０の本体側部分３１が側板１１，１２の内壁面に取り付けられることによる収納空間２Ｌ，２Ｒの美観の低下を抑制するために、側板１１，１２の内壁面であってスライド蝶番３０の本体側部分３１が取り付けられた蝶番取付面にカバー部材４０が設けられている。
【００４０】
図３〜図６に示すように、本実施形態では、各カバー部材４０は、上下方向に長い矩形状の扁平な板状部材によって構成されている。具体的には、各カバー部材４０は、前端の幅が、側板１１，１２の蝶番取付面の前端の幅（本実施形態では、収納空間２Ｌ，２Ｒの高さに等しい）に等しく、収納空間２Ｌ，２Ｒの奥行長さが、該収納空間２Ｌ，２Ｒよりも短い矩形状の扁平な板状部材によって構成されている。
【００４１】
なお、詳細については後述するが、本実施形態では、各カバー部材４０は、収納空間２Ｌ，２Ｒの奥側から手前側にスライドさせることによって側板１１，１２の内壁面に取り付けられるように構成されている。そのため、各カバー部材４０は、スライド蝶番３０の本体側部分３１の奥側から手前側にスライドさせることができるように、各カバー部材４０の奥行長さは、スライド蝶番３０の本体側部分３１の奥行長さ（２０ｍｍ程度）を考慮して、収納空間２Ｌ，２Ｒの奥行長さよりも３０ｍｍ程度短く形成されている。
【００４２】
また、各カバー部材４０の前端面（前木口）４０ａは、側板１１，１２の内壁面から離れるほど上記収納空間２Ｌ，２Ｒの奥側に後退する傾斜面に構成されている。なお、各カバー部材４０の前端面４０ａは、３０°〜４５°のテーパー加工によって傾斜面を構成することが好ましい。各カバー部材４０は、前端（傾斜面の先端）が、側板１１，１２の前端（蝶番取付面の前端）と同じ位置に位置する設置位置に配置されている。
【００４３】
各カバー部材４０には、３つのスライド蝶番３０の本体側部分３１を覆い隠すための凹部４１が３つずつ形成されている。また、各カバー部材４０には、該カバー部材４０をスライドによって所定の設置位置まで導くスライド溝４２が３つずつ形成されている。
【００４４】
各凹部４１は、カバー部材４０の側板１１，１２の蝶番取付面に当接する側板当接面に形成した細長い断面矩形状の溝によって構成されている。各凹部４１は、カバー部材４０を設置位置に配置したときに、収容凹部１８に対応するように、カバー部材４０の前端面４０ａから収納空間２Ｌ，２Ｒの奥側へ奥行方向に延びるように形成されている。また、各凹部４１は、側板１１，１２の各収容凹溝１８の内部に収まりきらずに突出した本体側部分３１の一部を覆い隠す深さに形成されている。各凹部４１は、各カバー部材４０において、３つのスライド蝶番３０の本体側部分３１に対応する位置（上端部、上下方向の中央部、下端部）に形成されている。
【００４５】
各スライド溝４２は、カバー部材４０の上記側板当接面の後述するあり継ぎコネクタ５０に対応する高さ位置に形成され、カバー部材４０を設置位置に配置したときに、カバー部材４０の前端面４０ａよりも収納空間２Ｌ，２Ｒの奥側の位置からさらに奥側へ奥行方向に延びるように形成されている。本実施形態では、各スライド溝４２は、後述するあり継ぎコネクタ５０に係合するあり溝に構成されている。また、本実施形態では、上記あり溝が形成されたレール部材４３を、カバー部材４０の上記側板当接面に形成した溝に嵌め込むことにより、該側板当接面に各スライド溝４２を形成している。
【００４６】
各スライド溝４２の手前側（カバー部材４０の前端面４０ａ側）には、後述するあり継ぎコネクタ５０をスライド溝４２に嵌め込むための嵌入溝４４が形成されている。嵌入溝４４は、あり継ぎコネクタ５０が嵌まり込むようにあり継ぎコネクタ５０よりも大径な円形溝によって構成され、レール部材４３が嵌め込まれる溝の前端に連続して形成されている。このような嵌入溝４４を形成することにより、あり溝からなるスライド溝４２をカバー部材４０の前端面４０ａに開口させることなく、カバー部材４０の前端面４０ａよりも後方の位置に形成することができる。これにより、カバー部材４０の前端面４０ａに形成される開口が少なくなり、収納空間２Ｌ，２Ｒの美観の向上につながる。
【００４７】
〈あり継ぎコネクタの構成〉
本収納家具１には、上記カバー部材４０を、スライドさせるだけで容易に収納家具本体１０の蝶番取付面に取り付けるために、あり継ぎコネクタ（突出部）５０が該蝶番取付面に収納空間２Ｌ，２Ｒに突出するように形成されている。あり継ぎコネクタ５０は、カバー部材４０の上記側板当接面に形成されたスライド溝４２にスライド自在に保持されるように、スライド溝４２（本実施形態では蟻溝）よりも僅かに小さい断面寸法で相似形状に形成されている。あり継ぎコネクタ５０は、側板１１，１２の蝶番取付面において、各スライド蝶番３０のすぐ上方に設けられ、３つずつ設けられている。
【００４８】
このような構成のあり継ぎコネクタ５０を、カバー部材４０の嵌入溝４４を介してスライド溝４２に嵌め込むことにより、カバー部材４０が側板１１，１２の蝶番取付面に取り付けられる。
【００４９】
〈桟部材の構成〉
上述したように、各カバー部材４０の奥行長さは、収納空間２Ｌ，２Ｒの奥行長さよりも３０ｍｍ程度短く形成されている。そのため、各カバー部材４０を、前端が側板１１，１２の前端と揃う設置位置に設置した際に、カバー部材４０と収納空間２Ｌ，２Ｒの背面を形成する収納家具本体１０の背板１６と間に隙間が形成される。このような隙間が形成されると、収納空間２Ｌ，２Ｒの内部の美観が低下する。
【００５０】
そこで、本実施形態では、設置位置に設置されたカバー部材４０の後端と背板１６との間の隙間に、該隙間を埋める桟部材６０を設けることとしている（図２を参照）。桟部材６０は、カバー部材４０と同じ厚みで且つ同色の上下方向に長い矩形状の扁平な板状部材によって構成されている。このような構成により、桟部材６０が上記隙間を埋めるように設置されると、桟部材６０は、設置位置に位置するカバー部材４０と面一となる。これにより、カバー部材４０を設けたために形成された収納空間２Ｌ，２Ｒの側面の段差がなくなり、収納空間２Ｌ，２Ｒの内部の美観が向上する。
【００５１】
−組立動作−
以下、収納家具１の組立動作について説明する。
【００５２】
まず、収納家具本体２の３つの側板１１〜１３と、２つの天板１４Ｌ，１４Ｒと、２つの底板１５Ｌ，１５Ｒと、背板１６とを、２つの収納空間２Ｌ，２Ｒが左右に区画されるように組み立てる。次に、左右の扉２０Ｌ，２０Ｒを収納家具本体２に取り付ける。具体的には、左側の扉２０Ｌを収納家具本体２の左側板１１に、３つのスライド蝶番３０によって揺動可能に取り付ける。また、右側の扉２０Ｒを収納家具本体２の右側板１２に、３つのスライド蝶番３０によって揺動可能に取り付ける。
【００５３】
次に、カバー部材４０と桟部材６０とを収納家具本体１０に取り付ける。まず、図７（Ａ）に示すように、カバー部材４０を、設置位置よりも収納空間２Ｌ，２Ｒの奥側、具体的には、あり継ぎコネクタ５０が嵌入溝４４に嵌入する係合位置に配置して側板１１，１２の蝶番取付面に当接させる。そして、カバー部材４０を収納空間２Ｌ，２Ｒの奥側から手前側へスライドさせてあり継ぎコネクタ５０を嵌入溝４４からスライド溝４２に嵌め込む。このあり継ぎコネクタ５０がスライド溝４２に嵌め込まれてスライド溝４２に保持された状態で、カバー部材４０を、さらに収納空間２Ｌ，２Ｒの奥側から手前側へスライドさせ、前端が側板１１，１２の前端と揃う設置位置（図４及び図７（Ｂ）を参照）までスライドさせる。カバー部材４０を設置位置に設置した後、カバー部材４０と背板１６との間に形成される隙間に、桟部材６０を埋め込む（図７（Ｃ）を参照）。これにより、カバー部材４０と背板１６との隙間が埋まる。よって、設置位置に設置されたカバー部材４０の収納空間２Ｌ，２Ｒの奥行方向の奥側へのスライド移動が規制される。つまり、カバー部材４０の位置が設置位置に固定される。以上のようにしてカバー部材４０及び桟部材６０が収納家具本体１０に取り付けられる。
【００５４】
カバー部材４０及び桟部材６０が収納家具本体１０に取り付けられた後、各収納空間２Ｌ，２Ｒに棚板１７を設置する。本実施形態では、図示は省略するが、各カバー部材４０の内壁面と中央側板１３の両側面にあり継ぎコネクタが形成され、各棚板１７の側面にあり溝が形成されている。これらのあり継ぎコネクタとあり溝とを係合させた状態で各棚板１７を収納空間２Ｌ，２Ｒの手前側から奥側へスライドさせることにより、各棚板１７が設置される。
【００５５】
本実施形態では、このように、カバー部材４０及び桟部材６０の設置後に、その内側に各棚板１７を設けることとしている。これにより、カバー部材４０及び桟部材６０が収納空間２Ｌ，２Ｒ側へずれたり反ったりしないように、各棚板１７によってカバー部材４０及び桟部材６０を押さえ付けることができる。
【００５６】
なお、スライド蝶番３０の調整や取り外しの際には、上記組み立て動作の逆手順によってカバー部材４０を取り外して行う。つまり、棚板１７を手前側にスライドさせて取り外した後、桟部材６０を取り外し、カバー部材４０を収納空間２Ｌ，２Ｒの手前側から奥側へスライドさせることによって取り外す。そして、スライド蝶番３０の調整又は取り外し作業を行う。
【００５７】
−実施形態の効果−
以上のように、本収納家具１では、収納家具本体１０の内壁面であってスライド蝶番３０が取り付けられる蝶番取付面に、収納空間２Ｌ，２Ｒに突出するあり継ぎコネクタ（突出部）５０を形成する一方、スライド蝶番３０の本体側部分３１を覆い隠す凹部４１と、上記あり継ぎコネクタ５０をスライド自在に保持すると共にカバー部材４０を設置位置まで導くスライド溝４２とが形成されたカバー部材４０を設けることとした。本収納家具１によれば、このような構成により、カバー部材４０を設けることによって、スライド蝶番３０を用いることによる収納空間２Ｌ，２Ｒの美観の低下を抑制することができると共に、該カバー部材４０をビス等で蝶番取付面に取り付けるのではなく、スライド溝４２にあり継ぎコネクタ５０を保持させた状態でカバー部材４０をスライドさせるだけで、該カバー部材４０を所定の設置位置で蝶番取付面に取り付けることができる。また、スライド蝶番３０の調整を行う際には、カバー部材４０を取り付け時とは逆側にスライドさせることにより、容易に取り外すことができる。従って、本収納家具１によれば、扉付きの収納家具において、スライド蝶番３０の調整作業を煩雑にすることなくスライド蝶番３０を用いることによる美観の低下を抑制することができる。
【００５８】
本収納家具１では、カバー部材４０を、一側面にスライド蝶番３０の本体側部分３１を覆い隠す凹部４１と、あり継ぎコネクタ５０をスライド自在に保持するスライド溝４２とが形成された扁平な板状部材によって構成している。このような構成により、カバー部材４０を容易に構成することができる。また、カバー部材４０を板状部材によって構成することにより、カバー部材４０が側板１１，１２の補強材となるため、収納家具１の強度の向上につながる。
【００５９】
本収納家具１では、カバー部材４０は、設置位置において、前端が側板１１，１２の蝶番取付面の前端と同じ位置に配置されるように構成され、また、前端の幅が、側板１１，１２の蝶番取付面の前端の幅（収納空間２Ｌ，２Ｒの蝶番取付面に沿う方向における開口幅、即ち、本実施形態では、収納空間２Ｌ，２Ｒの高さ）と等しくなるように形成されている。このような構成により、設置位置において、側板１１，１２の蝶番取付面とカバー部材４０との前端の位置が揃うため、側板１１，１２の蝶番取付面にカバー部材４０を設けても該蝶番取付面の前端部に不自然な段差が形成されることがない。従って、カバー部材４０を設けることによる収納空間２Ｌ，２Ｒの美観の低下を抑制することができる。
【００６０】
本収納家具１では、カバー部材４０の前端面４０ａが、側板１１，１２の蝶番取付面から離れるほど（収納空間２Ｌ，２Ｒの内側に向かうほど）、収納空間２Ｌ，２Ｒの奥側に後退する傾斜面に構成されている。そのため、カバー部材４０の前端が側板１１，１２の蝶番取付面の前端に対して位置がずれても、そのずれを目立たなくすることができる。また、カバー部材４０の前端を傾斜面に構成しない場合に比べて、人にカバー部材４０の厚みを薄く感じさせる効果が期待できる。さらに、図６に示すように、扉２０Ｌ，２０Ｒを閉じた際に、スライド蝶番３０の扉２０Ｌ，２０Ｒに取り付けられた扉側部分３２を収容する余地ができる。これにより、扉２０Ｌ，２０Ｒを閉じた際に、スライド蝶番３０の扉側部分３２とカバー部材４０とが衝突してしまうのを回避することができる。
【００６１】
本収納家具１では、カバー部材４０が、収納空間２Ｌ，２Ｒの奥行長さが該収納空間２Ｌ，２Ｒよりも短くなるように形成され、収納空間２Ｌ，２Ｒの奥行方向の奥側から手前側にスライドさせることによって設置位置に導かれるように構成されている。このような構成により、カバー部材４０を容易に蝶番取付面に取り付けることができる。
【００６２】
一方、上述のようにカバー部材４０の奥行長さが蝶番取付面より短い構成では、カバー部材４０を設置位置に配置した際に、カバー部材４０と収納家具本体１０の背板１６との間に隙間が形成され、収納空間２Ｌ，２Ｒの内部の美観が低下する。
【００６３】
そこで、本収納家具１では、設置位置に設置されたカバー部材４０と背板１６との間に形成される隙間に、桟部材６０を設けることとしている。このように桟部材６０を設けて隙間を埋めることにより、収納空間２Ｌ，２Ｒの内部の美観の低下を抑制すると共に、スライド自在なカバー部材４０の設置位置から後方への移動を規制することができる。つまり、桟部材６０を、カバー部材４０の移動を規制する押さえ部材として用いることができる。
【００６４】
また、本収納家具１では、桟部材６０が、カバー部材４０と同じ厚みで且つ同色の板状部材によって構成され、上記設置位置に位置する該カバー部材４０と面一となるように配置されている。このような構成の本収納家具１によれば、蝶番取付面が、板状部材によって構成されて互いに面一となるように配置されたカバー部材４０と桟部材６０とによって覆われ、収納空間２Ｌ，２Ｒの側面に段差が生じないため、カバー部材４０を設けることによる収納空間２Ｌ，２Ｒの内部の美観の低下を抑制することができる。
【００６５】
さらに、本収納家具１では、蝶番取付面にスライド蝶番３０の本体側部分３１の一部を収容する収容凹部１８を形成している。そのため、本収納家具１によれば、蝶番取付面に収容凹部１８を形成しない場合に比べて、カバー部材４０に形成する凹部４１を浅く形成することができ、カバー部材４０自体の厚みを薄く形成することができる。従って、本収納家具１によれば、カバー部材４０を設けることによる収納空間２Ｌ，２Ｒの容積減少を最小限に止めることができる。
【００６６】
《その他の実施形態》
上記実施形態については、以下のような構成としてもよい。
【００６７】
上記実施形態では、本発明に係る突起部をあり継ぎコネクタ５０によって構成し、本発明に係るスライド溝をあり溝によって構成していたが、本発明に係る突起部とスライド溝の形状は上記実施形態のものに限られない。本発明に係る突起部とスライド溝の形状は、収納空間２Ｌ，２Ｒの奥行方向にスライド自在で且つ突起部がスライド溝内に保持されて、カバー部材４０が側板１１，１２の蝶番取付面から離れないものであれば、いかなる形状であってもよい。
【００６８】
また、上記実施形態では、あり溝が形成されたレール部材４３を、カバー部材４０の上記側板当接面に形成した溝に嵌め込むことによって、該側板当接面に各スライド溝４２を形成していた。しかしながら、スライド溝４２は、レール部材４３を用いることなく、カバー部材４０の側板当接面に直接形成することとしてもよい。
【００６９】
また、上記実施形態では、側板１１，１２の内壁面が蝶番取付面に構成され、カバー部材４０が、側板１１，１２の内壁面に当接するように設けられていたが、天板１４Ｌ，１４Ｒや底板１５Ｌ，１５Ｒが蝶番取付面に構成されていてもよく、その場合、カバー部材４０を天板１４Ｌ，１４Ｒや底板１５Ｌ，１５Ｒの内壁面に当接するように設ければよい。
【００７０】
また、上記実施形態では、カバー部材４０を着脱容易に構成することとしたが、カバー部材４０を取り外さずに、ドライバーを挿入してスライド蝶番３０の調整が可能なように、カバー部材４０にドライバー挿入用の穴を形成し、該穴を隠すためのキャップを設けるようにしてもよい。
【００７１】
また、上記実施形態では、２つの収納空間が形成された収納家具１について説明したが、本発明に係る収納家具の収納空間の個数は２に限られず、１つでもよく、３つ以上であってももちろんよい。
【００７２】
また、また、上記実施形態では、桟部材６０を設けていたが、桟部材６０は必ずしも設けなくてもよい。また、桟部材６０を２つ以上の部材によって構成することとしてももちろんよい。
【産業上の利用可能性】
【００７３】
以上説明したように、本発明は、キャビネット等の収納家具に関し、特に、扉付きの収納家具について有用である。
【符号の説明】
【００７４】
１            収納家具
２            収納家具本体
２Ｌ，２Ｒ    収納空間
１０            収納家具本体
１６            背板
１８            収容凹部
２０Ｌ，２０Ｒ  扉
３０            スライド蝶番
３１            本体側部分
３４            凹溝
４０            カバー部材
４０ａ          前端面
４１            凹部
４２            スライド溝
５０            あり継ぎコネクタ（突出部）
６０            桟部材
【図１】
0006688043.tif 000002
【図２】
0006688043.tif 000003
【図３】
0006688043.tif 000004
【図４】
0006688043.tif 000005
【図５】
0006688043.tif 000006
【図６】
0006688043.tif 000007
【図７】
0006688043.tif 000008